(57)【要約】【課題】設置作業が容易で、且つ、腹起し材と共に撤去し得ることができ、しかも、撤去作業時に落下の心配が無い実用性に優れた裏込め体を提供することを目的とする。【解決手段】充填材を充填する袋体３と、複数の取付具４とから成る構成とし、袋体３は両端部に袋体吊上用掛部５を設けた吊りベルト６を一側側面部７Ａから底面部８を介して他側側面部７Ｂに架け渡し配設した構成とし、取付具４は腹起し材２のフランジ部９に係合する袋体３の一側開口縁部10Ａをフランジ部９に離脱不能に係止する一側開口縁係止部11と、他側開口縁部10Ｂと係合し袋体３の開口部の開口状態を保持する他側開口縁係合部12とから成る構成とした裏込め体。【選択図】図１
2017014691.tif 000002
【特許請求の範囲】
【請求項１】
山留工法における山留壁と腹起し材との隙間に配設される裏込め体であって、経時により固化する充填材を充填する袋体と、この袋体を前記腹起し材に取り付ける複数の取付具とから成る構成とし、前記袋体は、両端部に袋体吊上用掛部を設けた吊りベルトを一側側面部から底面部を介して他側側面部に架け渡し配設した構成とし、前記取付具は、前記腹起し材のフランジ部に係合する前記袋体の正面側若しくは背面側のいずれか一方の一側開口縁部を該フランジ部に離脱不能に係止する一側開口縁係止部と、他方の他側開口縁部と係合し前記袋体の開口部の開口状態を保持する他側開口縁係合部とから成る構成として、前記腹起し材を撤去する際に、この腹起し材に取り付けた前記袋体を、この腹起し材に取り付けたままの状態で撤去し得る構成とすると共に、前記撤去時に前記吊りベルトを懸吊装置に連結して前記袋体を吊設支持して落下防止状態で前記腹起し材と共に撤去し得るように構成したことを特徴とする裏込め体。
【請求項２】
前記袋体は、前記一側開口縁部を前記フランジ部の上部側フランジ縁部に上方から被着係合し、この一側開口縁部を被着係合した前記上部側フランジ縁部に上方から前記一側開口縁部ごと前記一側開口縁係止部を被嵌係止して、前記一側開口縁部を前記フランジ部に係止する構成としたことを特徴とする請求項１記載の裏込め体。
【請求項３】
前記袋体は、前記他側開口縁部に掛止孔を設けた構成とし、この掛止孔をフック状に形成した前記他側開口縁係合部に掛け止める構成としたことを特徴とする請求項１，２のいずれか１項に記載の裏込め体。
【請求項４】
前記他側開口縁係合部を、前記一側開口縁係止部に対して相対移動自在に設けた構成として、前記一側開口縁係止部と前記他側開口縁係合部との離間間隔を自在に調整し得るように構成して、前記腹起し材に設けた前記袋体の開口部の開口幅を自在に調整し得る構成としたことを特徴とする請求項１〜３のいずれか１項に記載の裏込め体。
【発明の詳細な説明】
【技術分野】
【０００１】
本発明は、地盤を掘削した掘削面の崩壊を防止する山留工法を用いる、掘削面に形成した山留壁と、この山留壁を支持する腹起し材との隙間に配設される裏込め体に関するものである。
【背景技術】
【０００２】
従来、この種の裏込め体としては、例えば、特許文献１や特許文献２に示すようなものがある。
【０００３】
特許文献１の裏込め体は、開口の近傍部に貫通孔を形成した袋体と、この貫通孔に貫通配設する釘とから成るもので、袋体の貫通孔にＬ字形状の釘を貫通配設し、この釘の先端を土端面（山留壁）に突き刺し、基端を腹起しに引掛け係止して、土端面（山留壁）と腹起し材との間に架け渡し配設した釘に吊設状態に配設する構成としたものである。
【０００４】
また、特許文献２の裏込め体は、上部にチューブ状の吊下部を設けた袋体と、単管と、アングルプレートとコ字形ブラケットとで構成する袋体支持部とから成るもので、袋体の吊下部に単管を挿通配設し、この吊下部に挿通配設した単管を袋体支持部のコ字形のブラケットに係止して、袋体支持部間に架設した単管に吊下状態に支持される構成としたものである。
【先行技術文献】
【特許文献】
【０００５】
【特許文献１】特開平３−７８４５４号公報
【特許文献２】特開平８−１０９６３３号公報
【発明の概要】
【発明が解決しようとする課題】
【０００６】
上述した特許文献１の裏込め体は、簡易な構造で設置作業も比較的容易であるが、釘を山留壁に突き刺して固定するため、腹起し材の撤去時は、まず釘を引き抜き、裏込め体を撤去した後、腹起し材を撤去することになり、腹起し材と裏込め体とを一緒に撤去することができず撤去時の作業性に問題がある。
【０００７】
また特許文献２の裏込め体は、撤去時は腹起し材と裏込め体とを一緒に撤去することができるものの、設置時は、腹起し材に袋体支持部を溶接により取り付ける作業を要し、工数が掛かってしまう。更に、この特許文献２の裏込め体は、袋体を腹起し材と共に撤去する際、モルタル注入により重量が重くなった袋体が破損（吊下部と袋体本体部との連結部での破損や吊下部自体の破損）し落下する恐れがある。
【０００８】
本発明は、上述のような現状の問題に鑑みなされたもので、設置作業が容易で、且つ、腹起し材と共に撤去し得ることができ、しかも、撤去作業時に落下の心配が無い実用性に優れた裏込め体を提供することを目的とする。
【課題を解決するための手段】
【０００９】
添付図面を参照して本発明の要旨を説明する。
【００１０】
山留工法における山留壁１と腹起し材２との隙間に配設される裏込め体であって、経時により固化する充填材を充填する袋体３と、この袋体３を前記腹起し材２に取り付ける複数の取付具４とから成る構成とし、前記袋体３は、両端部に袋体吊上用掛部５を設けた吊りベルト６を一側側面部７Ａから底面部８を介して他側側面部７Ｂに架け渡し配設した構成とし、前記取付具４は、前記腹起し材２のフランジ部９に係合する前記袋体３の正面側若しくは背面側のいずれか一方の一側開口縁部10Ａを該フランジ部９に離脱不能に係止する一側開口縁係止部11と、他方の他側開口縁部10Ｂと係合し前記袋体３の開口部の開口状態を保持する他側開口縁係合部12とから成る構成として、前記腹起し材２を撤去する際に、この腹起し材２に取り付けた前記袋体３を、この腹起し材２に取り付けたままの状態で撤去し得る構成とすると共に、前記撤去時に前記吊りベルト６を懸吊装置に連結して前記袋体３を吊設支持して落下防止状態で前記腹起し材２と共に撤去し得るように構成したことを特徴とする裏込め体に係るものである。
【００１１】
また、前記袋体３は、前記一側開口縁部10Ａを前記フランジ部９の上部側フランジ縁部９Ａに上方から被着係合し、この一側開口縁部10Ａを被着係合した前記上部側フランジ縁部９Ａに上方から前記一側開口縁部10Ａごと前記一側開口縁係止部11を被嵌係止して、前記一側開口縁部10Ａを前記フランジ部９に係止する構成としたことを特徴とする請求項１記載の裏込め体に係るものである。
【００１２】
また、前記袋体３は、前記他側開口縁部10Ｂに掛止孔13を設けた構成とし、この掛止孔13をフック状に形成した前記他側開口縁係合部12に掛け止める構成としたことを特徴とする請求項１，２のいずれか１項に記載の裏込め体に係るものである。
【００１３】
また、前記他側開口縁係合部12を、前記一側開口縁係止部11に対して相対移動自在に設けた構成として、前記一側開口縁係止部11と前記他側開口縁係合部12との離間間隔を自在に調整し得るように構成して、前記腹起し材２に設けた前記袋体３の開口部の開口幅を自在に調整し得る構成としたことを特徴とする請求項１〜３のいずれか１項に記載の裏込め体に係るものである。
【発明の効果】
【００１４】
本発明は上述のように構成したから、設置作業が容易で、且つ、腹起し材と共に撤去し得ることができ、しかも、この撤去時に、袋体自体を吊設支持することもできるから、袋体が腹起し材から離脱し落下する心配もなく、安心且つ確実に腹起し材と袋体とを共に撤去することができる実用性に優れた裏込め体となる。
【図面の簡単な説明】
【００１５】
【図１】本実施例の裏込め体を示す説明斜視図である。
【図２】本実施例の取付具を示す斜視図である。
【図３】本実施例の取付具の別例を示す斜視図である。
【図４】本実施例の裏込め体を腹起し材に取り付けた状態を示す説明斜視図である。
【図５】図４の要部拡大図である。
【図６】本実施例の使用状態（充填材を充填する状態）を示す説明断面図である。
【図７】本実施例の使用状態（撤去作業状態）を示す斜視図である。
【図８】本実施例の使用状態の別例を示す説明断面図である。
【発明を実施するための形態】
【００１６】
好適と考える本発明の実施形態を、図面に基づいて本発明の作用を示して簡単に説明する。
【００１７】
腹起し材２の山留壁１側のフランジ部９に袋体３の正面側若しくは背面側のいずれか一方の一側開口縁部10Ａを係合し、この一側開口縁部10Ａを係合させたフランジ部９に、この一側開口縁部10Ａごと取付具４の一側開口縁係止部11を被嵌係止して、取付具４を腹起し材２（フランジ部９）に取り付けると共に、このフランジ部９に係合させた袋体３の一側開口縁部10Ａを一側開口縁係止部11でフランジ部９に離脱不能な係止状態にし、この腹起し材２に取り付けた取付具４の一側開口縁係止部11よりも山留壁１側に位置するように設けた他側開口縁係合部12に袋体３の他方の他側開口縁部10Ｂを係合する。これにより、裏込め体を構成する袋体３及び取付具４は、山留壁１に係合、係止することなく、腹起し材２に取り付けられ、また、山留壁１と腹起し材２との間に垂下状態に配設された袋体３は、開口部が一定の開口幅を保持した状態で設けられることとなる。
【００１８】
従って、本発明は、撤去する際、腹起し材２に取り付けた状態のまま、腹起し材２と一緒に撤去することができる。
【００１９】
また、袋体３に充填材を充填する際、袋体３の開口部が開口しているので充填材の充填作業がし易く、また、充填材を充填してゆくことで袋体３の自重が重くなって下方側への引張力が生じ、この引張力により開口部が閉口しようとする開口部閉口作用が生じても、開口部の開口幅が狭まることなく充填初期の開口状態を保持するので、充填作業に支障をきたすことがなく、更に、開口部の開口状態が保持されることで、充填材の充填具合も良好に目視確認することができ、充填作業の終点の見極めが容易にできる。
【００２０】
しかも、本発明は、袋体３に、両端部に袋体吊上用掛部５を設けた吊りベルト６を一側側面部７Ａから底面部８を介して他側側面部７Ｂに架け渡し配設して、この吊りベルト６（袋体吊上用掛部５）を懸吊装置に連結して袋体３を吊設支持し得る構成としたから、この腹起し材２と共に裏込め体を撤去する際、袋体３を個別に吊設支持することができ、例えば、吊りベルト６の袋体吊上用掛部５に懸吊装置（例えばクレーン）のワイヤーを連結することで、万が一、袋体３が破損し腹起し材２から離脱しても落下する心配が無いし、また、懸吊装置で袋体３自体を吊持することで、袋体３に負荷が掛からず、重量負荷による袋体３の破損が生じず、落下の心配がない。
【００２１】
このように、本発明は、設置作業が容易で、且つ、腹起し材２と共に撤去し得ることができ、しかも、この撤去時に、袋体３自体を吊設支持することもできるから、袋体３が腹起し材２から離脱し落下する心配もなく、安心且つ確実に腹起し材２と袋体３とを共に撤去することができる実用性に優れた画期的な裏込め体となる。
【実施例】
【００２２】
本発明の具体的な実施例について図面に基づいて説明する。
【００２３】
本実施例は、山留工法における山留壁１と腹起し材２との隙間に配設される裏込め体であって、経時により固化する充填材を充填する袋体３と、この袋体３を腹起し材２に取り付ける複数の取付具４とから成る構成とし、袋体３は、両端部に袋体吊上用掛部５を設けた吊りベルト６を一側側面部７Ａから底面部８を介して他側側面部７Ｂに架け渡し配設した構成とし、取付具４は、腹起し材２のフランジ部９に係合する袋体３の正面側若しくは背面側のいずれか一方の一側開口縁部10Ａをフランジ部９に離脱不能に係止する一側開口縁係止部11と、他方の他側開口縁部10Ｂと係合し袋体３の開口部の開口状態を保持する他側開口縁係合部12とから成る構成として、腹起し材２を撤去する際に、この腹起し材２に取り付けた袋体３を、この腹起し材２に取り付けたままの状態で撤去し得る構成とすると共に、撤去時に前記吊りベルト６を懸吊装置に連結して袋体３を吊設支持して落下防止状態で腹起し材２と共に撤去し得るように構成したものである。
【００２４】
以下、本実施例に係る構成各部について詳細に説明する。
【００２５】
本実施例の袋体３は、図示するように、上部を開口した正面視方形状の扁平型に形成した構成としている。
【００２６】
より具体的には、本実施例の袋体３は、ポリエステル布から成り、開口部の開口縁部10の周面に補強布15を周設して、この開口縁部10の耐久性を向上させた構成とすると共に、開口縁部10の他側開口縁部10Ｂ（この袋体３を腹起し材２に取り付けた際に山留壁１側に位置する側の開口縁部10）に掛止孔13を設けた構成としている。
【００２７】
更に、本実施例の袋体３は、両端部に袋体吊上用掛部５を設けた吊りベルト６を一側側面部７Ａから底面部８を介して他側側面部７Ｂに架け渡し配設した構成とし、具体的には、吊りベルト６は、帯状に形成し、両端部を夫々折り返し、この折り返した端部を吊りベルト６に重合係止して、この重合係止部16の先端側にループ状の袋体吊上用掛部５を形成した構成とし、この袋体吊上用掛部５が袋体３の左右両側面部７Ａ，７Ｂの上辺部から突出するようにして、袋体３の内面側に設けた構成としている。
【００２８】
即ち、本実施例は、吊りベルト６を袋体３の底面部８に配設することで、袋体３に充填した充填材をこの吊りベルト６で支持する構成とし、この袋体３に負荷を掛けずにこの袋体３を吊設支持する構成としている。
【００２９】
また、本実施例の取付具４は、腹起し材２のフランジ部９に係合する袋体３の正面側若しくは背面側のいずれか一方の一側開口縁部10Ａをフランジ部９に離脱不能に係止する一側開口縁係止部11と、他方の他側開口縁部10Ｂと係合し袋体３の開口部の開口状態を保持する他側開口縁係合部12とから成る構成としている。
【００３０】
具体的には、図示するように、一側開口縁係止部11は、腹起し材２のフランジ部９の上部側フランジ縁部９Ａに上方から被嵌し得る形状に形成し、上部に後述する移動体14の移動を案内すると共にこの移動体14を固定する案内固定機構17を設けた構成とすると共に、側部にこの一側開口縁係止部11を腹起し材２のフランジ部９に係止する係止部18を設けた構成としている。
【００３１】
より具体的には、本実施例では、一側開口縁係止部11は逆Ｕ字状に形成し、また、案内固定機構17はボルト19とナット20とから成る構成とし、ボルト19は一側開口縁係止部11の上部に先端部を上方に向けて立設した構成としている。
【００３２】
また、係止部18は、ボルトを採用した構成とし、この一側開口縁係止部11を腹起し材２のフランジ部９に被嵌させた後、この係止部18としてのボルトを締め付け固定することで、この一側開口縁係止部11をフランジ部９に係止する構成としている。
【００３３】
また、他側開口縁係合部12は、上述した一側開口縁係止部11に対して相対移動自在に設けた構成とし、具体的には、他側開口縁係合部12は、一側開口縁係止部11に相対スライド移動自在に設けた移動体14に設けて、一側開口縁係止部11に対して相対移動自在に設けた構成としている。
【００３４】
より具体的には、本実施例は、図示するように、この他側開口縁係合部12をフック形状に形成し、Ｌ形アングル状に形成した移動体14の水平板先端側に立設した構成として、前述した袋体３の他側開口縁部10Ｂに設けた掛止孔13と掛止係合する構成としている。
【００３５】
また、この他側開口縁係合部12を設けたＬ形アングル状の移動体14は、水平板の基端側に一側開口縁係止部11のボルト19に係合する長孔21を設けた構成とし、この移動体14に設けた長孔21に一側開口縁係止部11の上部に突設したボルト19を挿通させ、ナット20により締め付け固定することで一側開口縁係止部11に対して他側開口縁係合部12を設ける構成とし、また、このナット20を弛め、ボルト19をガイドに長孔21に沿って移動体14を前後方向にスライド移動させることで、一側開口縁係止部11と他側開口縁係合部12との離間間隔を自在に調整できるように構成している。
【００３６】
尚、取付具４は、本実施例の構成に限定されるものではなく、例えば図示するように移動体14を平板状に形成した構成としても良く、また、他側開口縁係合部12を二つ設けた構成や、一側開口縁係止部11を二つ備える構成としても良い。
【００３７】
次に、上述のように構成した本実施例の作用・効果について以下に説明する。
【００３８】
先ず、本実施例の使用方法（腹起し材２への取り付け方法）について以下に説明する。
【００３９】
本実施例を腹起し材２に取り付ける際は、腹起し材２の山留壁１側のフランジ部９に袋体３の一側開口縁部10Ａを係合し、この一側開口縁部10Ａが係合するフランジ部９に一側開口縁部10Ａごと取付具４の一側開口縁係止部11を被嵌係止して、取付具４を腹起し材２に取り付けると共に、この一側開口縁係止部11で袋体３の一側開口縁部10Ａをフランジ部９に係止する。
【００４０】
具体的には、袋体３の一側開口縁部９Ａをフランジ部９の上部側フランジ縁部９Ａに対して上方から被着係合し、この一側開口縁部９Ａが被着係合する上部側フランジ縁部９Ａに、上方から取付具４の一側開口縁係止部11を被嵌し、係止部18としてのボルトを締め付けて、この取付具４（一側開口縁係止部11）をフランジ部９の上部側フランジ縁部９Ａに被嵌係止すると共に、袋体３の一側開口縁部９Ａを、フランジ部９の上部側フランジ縁部９Ａと一側開口縁係止部11（係止部18）とで挟み込み固定し、腹起し材２のフランジ部９に離脱不能に係止させる。
【００４１】
次に、山留壁１と腹起し材２との隙間間隔に合わせて、この腹起し材２に取り付けた取付具４の他側開口縁係合部12の位置を調整する。
【００４２】
具体的には、案内固定機構17のナット20を弛め、移動体14をスライド移動させて他側開口縁係合部12をできるだけ山留壁１側に位置するように移動調整し、ナット20を締め付け位置決め固定する。
【００４３】
最後に、この位置決めした他側開口縁係合部12に袋体３の他側開口縁部10Ｂに設けた掛止孔13を掛止係合し、取り付け作業が完了する。
【００４４】
このように、本実施例の裏込め体は、極めて簡易な作業で容易に腹起し材２に取り付けることができる。
【００４５】
尚、図示するように、高さのある袋体３を採用した場合も、最上段の腹起し材２のフランジ部９に同様に取り付けることとなり、非常に取り付け作業が容易となる。
【００４６】
また、本実施例の裏込め体は、山留壁１に係合、係止することなく、腹起し材２に取り付けられることとなり、撤去する際、腹起し材２に取り付けた状態のまま、腹起し材２と一緒に撤去することができる。
【００４７】
また更に、山留壁１と腹起し材２との間に垂下状態に配設された袋体３は、開口部が一定の開口幅を保持した状態で設けられることとなる。
【００４８】
従って、袋体３に充填材を充填する際、図示するように、袋体３の開口部が開口しているので充填材の充填作業がし易く、また、充填材を充填してゆくことで袋体３の自重が重くなって下方側への引張力が生じ、この引張力により開口部が閉口しようとする開口部閉口作用が生じても、開口部の開口幅が狭まることなく充填初期の開口状態を保持するので、充填作業に支障をきたすことがなく、更に、開口部の開口状態が保持されることで、充填材の充填具合も良好に目視確認することができ、充填作業の終点の見極めが容易にできる。
【００４９】
しかも、本実施例の裏込め体は、袋体３に、両端部に袋体吊上用掛部５を設けた吊りベルト６を一側側面部７Ａから底面部８を介して他側側面部７Ｂに架け渡し配設して、この吊りベルト６（袋体吊上用掛部５）を懸吊装置に連結して袋体３を吊設支持し得る構成としたから、この腹起し材２と共に裏込め体を撤去する際、袋体３を個別に吊設支持することができ、図示するように、吊りベルト６の袋体吊上用掛部５に懸吊装置（例えばクレーン）のワイヤーを連結することで、万が一、袋体３が破損し腹起し材２から離脱しても落下する心配が無いし、また、懸吊装置で袋体３自体を吊持することで、袋体３に負荷が掛からず、重量負荷による袋体３の破損が生じず、落下の心配がない。
【００５０】
このように、本実施例の裏込め体は、設置作業が容易で、且つ、腹起し材２と共に撤去し得ることができ、しかも、この撤去時に、袋体３自体を吊設支持することもできるから、袋体３が腹起し材２から離脱し落下する心配もなく、安心且つ確実に腹起し材２と袋体３とを共に撤去することができる実用性に優れた画期的な裏込め体となる。
【００５１】
尚、本発明は、本実施例に限られるものではなく、各構成要件の具体的構成は適宜設計し得るものである。
【符号の説明】
【００５２】
１  山留壁
２  腹起し材
３  袋体
４  取付具
５  袋体吊上用掛部
６  吊りベルト
７Ａ  一側側面部
７Ｂ  他側側面部
８  底面部
９  フランジ部
９Ａ  上部側フランジ縁部
10Ａ  一側開口縁部
10Ｂ  他側開口縁部
11  一側開口縁係止部
12  他側開口縁係合部
13  掛止孔
【図１】
2017014691.tif 000003
【図２】
2017014691.tif 000004
【図３】
2017014691.tif 000005
【図４】
2017014691.tif 000006
【図５】
2017014691.tif 000007
【図６】
2017014691.tif 000008
【図７】
2017014691.tif 000009
【図８】
2017014691.tif 000010